(57)【要約】      （修正有）【課題】日付表示に大きなフォーマットを与えることが可能な日付機構を提供する。【解決手段】腕時計などの時計用の日付機構において、２つの重ね合わされた下側日付リング６と上側日付リング４を含み、表面が複数のセクターに分割され、上側リング４が、１６個のセクターを含み、そのうちの１５個が、一巡りの３１の位置の連続した１５個のマークを備え、１６番目が、開いたまたは透明な開口部８を有する余分のセクターであり、下側リング６が１７個のセクターを含み、そのうちの１６個が、一巡りの３１の位置の他の１６個のマークを備え、１７番目が余分のセクターであり、前記各リング４、６が、駆動手段と協働し、マークが表示ゾーン２０に連続的に現れるようになり、日付機構が、各リング４、６を所望の位置で停止することができるジャンパ効果停止デバイス２２を含む。上側リング４と下側リング６の１つの場所に、薄くされた層１４と１６が設けられる。【選択図】図１
2005156563.tif 000002
【特許請求の範囲】
【請求項１】
腕時計などの時計用の日付機構において、２つの重ね合わされたそれぞれの下側日付リング（６）と上側日付リング（４）を含み、その表面が複数のセクターに分割され、上側リング（４）が１６個のセクターを含み、そのうちの１５個がそれぞれに、一巡りの３１の位置の連続した１５個のマークを備え、その１６番目が開いたまたは透明な開口部（８）を有する付加のセクターであり、下側リング（６）が１７個のセクターを含み、そのうちの１６個がそれぞれに、一巡りの３１の位置の他の１６個のマークを備え、その１７番目が付加のセクターであり、前記リング（４、６）それぞれには、規則的に離隔された歯（１０）と（１２）の連続からなる周囲内歯が設けられており、それらが、駆動手段と協働し、それによって下側リング（６）のマークが、開口部（８）から表示ゾーン（２０）に連続的に現れ、上側リング（４）が、不動のままとされ、また、下側リング（６）が不動であるとき、上側リング（４）のマークが表示ゾーン（２０）に連続的に現れ、上側リングが下側リング（６）のマークを覆い、日付機構が、各リング（４、６）を所望の位置で停止させることができるジャンパ効果停止デバイス（２２）をさらに含み、そのジャンパ効果停止デバイスが、該当する特定のリング（４、６）のピッチに適合される機構であって、上側リング（４）の１つの場所と、下側リング（６）の１つの場所に、薄くされた層（１４）と（１６）が設けられ、それらが、該当リング（４）または（６）の内歯の連続した２つの歯（１０）または（１２）の間に位置し、駆動手段の、リング（４、６）の内歯に対する位置が、リング（４）または（６）が、表示ゾーン（２０）の場所にその付加のセクターがある時、薄くされた層（１４）または（１６）が、駆動手段と向き合って位置し、それによって前記駆動手段が他方のリングしか駆動せず、薄くされた層（１４、１６）が、駆動手段の動きを阻害せず、停止デバイス（２２）が、各リング（４、６）それぞれの連続した２つの歯（１０）または（１２）の間に常に収容されることを可能にすることを特徴とする機構。
【請求項２】
停止デバイス（２２）が、歯（１０、１２）の厚みと実質的に等しい高さを有する２つのジャンパ（２４、２６）を含むことを特徴とする請求項１に記載の日付機構。
【請求項３】
駆動手段がホィール（１８）を含み、それが２４時間で１回転し、それに、日付リング（４、６）をそれらの歯（１０、１２）に作用させることによってそれぞれ駆動する２つのフィンガ（４２、４４）が取り付けられることを特徴とする、請求項１または２に記載の日付機構。
【発明の詳細な説明】
【技術分野】
【０００１】
本発明は、大型の日付機構であって、２つの重ね合わされたそれぞれの上側日付リングと下側日付リングを含み、その一方が、一巡りの３１の位置のうちの連続した１５個のマークを有し、他方が、その他の１６個のマークを有する機構に関する。
【背景技術】
【０００２】
日付を表示する暦時計で使用する、開口部付の周期的計数デバイスと周期的表示デバイスが既に知られている。通常、アナログ式の日付表示は、１から３１のマークを備える３１のセクターを備える日付リングを使用して従来通り作られる。しかし、そのようなデバイスは、各セクターそれぞれについて１つのフィールドしか提供せず、その寸法は、リングの円周の３１分の１に対応するという欠点を有する。特に小型フォーマットの腕時計では、前記フィールドの寸法は、簡単に読み取ることができる日付表示を可能にするには不充分である。したがって、円周の３１分の１よりも大幅に大きなフィールドで「大きな日付」を表示することが可能となるデバイスへの必要が感じられてきた。
【０００３】
この問題に対する最初の解決法が、Ｂｒａｎｄｉのスイス特許出願第ＣＨ  ６６０  ９４１号によって提供されたが、その目的は、暦時計用の、開口部付の周期的計数デバイスと周期的表示デバイスであって、純粋に機械的なものであり、かつ単純な構成でありながら、日付表示が、少なくとも円周の３１分の１の約２倍の、大きなフォーマットを有するデバイスを提供することである。
【０００４】
Ｂｒａｎｄｉ特許が表示する日付機構は、１７のセクターを備える下側リングの上に重ね合わされた、１６のセクターからなる上側日付リングを主に備える。上側リングは、その１５のセクターで、マーク「１７」から「３１」を備え、最後のセクターに開口部が設けられる。下側リングは、その１６のセクターで、マーク「１」から「１６」を含み、最後のセクターにはマークは無い。２つの輪の内側円周は、歯、歯の無い上側リング用の場所、歯の無い下側リング用の場所を含む。従来通り２４時間毎に１回転する日付フィンガが、日付リングを、従来のやり方でそれらの歯に作用することによって駆動する。リングの内歯に対する駆動フィンガの位置は、リングがその自由位置（上側リングでは開口部、下側リングではマークの無いセクター）を、腕時計の表示場所で有する時、駆動フィンガが、当該リングの歯の無い位置に面して位置するようになる。
【０００５】
Ｂｒａｎｄｉ特許は、日付表示に、従来型の日付機構のフォーマットの実質的に２倍の、大きなフォーマットがもたらされる。しかし、それは日付リングの位置決めに関して問題を呈する。事実、Ｂｒａｎｄｉ特許によると、２つのジャンパ効果停止デバイスが、それぞれに上側リングの歯と下側リングの歯に対して作用する。しかし各前記リングそれぞれの内歯の１つの場所が、歯を有さないとすると、これらのジャンパは、先端を二重に有し、連続した３つの歯の点の先端を圧迫しなければならない。その結果、これらのジャンパの寸法は大きくなければならず、したがって嵩張る。さらに、ジャンパによって２つの日付リングに及ぼされる保持力の機械的特徴が、歯の無いところが、前記ジャンパに関して第１、第２、または第３の位置であるかによって異なる。したがって、歯の無いところの位置に関わらず、ジャンパが、該当リングの満足のゆく位置決めをすることを保証する折衷点を見出さなければならない。したがってそのようなジャンパは得ることが困難である。
【特許文献１】スイス特許出願第ＣＨ  ６６０  ９４１号
【発明の開示】
【発明が解決しようとする課題】
【０００６】
本発明の目的は、日付表示に大きなフォーマットが与えられることを可能にする日付機構を提供することによって、上述の欠点や他の欠点を克服することにあり、この機構は、２つの重ね合わされたそれぞれの上側日付リングと下側日付リングであって、その一方が、一巡りの３１の位置のうちの連続した１５個のマークを有し、他方が、その他の１６個のマークを有するリングと、２つのリングを適切に位置決めするジャンパ効果停止デバイスとを含む。
【課題を解決するための手段】
【０００７】
したがって、本発明は、腕時計などの時計用の日付機構において、２つの重ね合わされたそれぞれの上側日付リングと下側日付リングを含み、その表面が複数のセクターに分割され、上側リングが、１６個のセクターを含み、そのうちの１５個がそれぞれに、一巡りの３１の位置の連続した１５個のマークを備え、その１６番目が開いたまたは透明な開口部を有する付加のセクターであり、下側リングが１７個のセクターを含み、そのうちの１６個がそれぞれに、一巡りの３１の位置の他の１６個のマークを備え、その１７番目が付加のセクターであり、これらのリングのそれぞれに、規則的に離隔した歯の連続からなる周囲内歯が設けられ、それらの歯が駆動手段と協働し、それによって下側リングのマークが開口部から表示ゾーンに連続的に現れ、上側リングが不動のままとなり、またそれによって、下側リングが不動であると、上側リングのマークが表示ゾーンに連続的に現れ、上側リングが、下側リングのマークを覆い、日付機構が、該当する特定のリングの段に適合された、各リングそれぞれを任意の所望の位置で停止することが可能なジャンパ効果停止デバイスをさらに含む機構であって、上側リングの１つの場所と、下側リングの１つの場所とに、薄くした歯が設けられ、それが該当リングの内歯の連続した２つの歯の間に位置し、駆動手段の、それらリングの内歯に対する位置が、上側リングが、前記表示ゾーンの場所でその付加のセクターを有する時、薄くした歯が駆動手段と向き合い、また、前記駆動手段が、他方リングしか駆動しなくなり、その２つのリングの薄くした歯が、駆動手段の動きを阻止せず、停止デバイスが、各リングそれぞれの連続した２つの歯の間に常に収容されることを可能にすることを特徴とする機構に関する。
【０００８】
これらの特徴によって、本発明は、時計用の日付機構であって、製造が簡単で、２つの日付リングを適切に位置決めすることを可能にするジャンパ効果停止手段を含む機構を提供する。事実、従来技術では、各日付リングのそれぞれの内歯の１つの場所に歯が無いという事実から、ジャンパは、二重の先端を有し、連続した３つの歯の先端の間を圧迫しなければならなかったが、それとは異なり、本発明によるジャンパは、薄くされた歯の通過中でも、各リングそれぞれの内歯の連続した２つの歯の間に常に収容される。このように本発明によるジャンパは、２つ傾斜面で従来通り終端し、それらの平面は、直接連続した２つの歯の先端の間を圧迫して、日付リングを所望の位置に保つ。このように、これらのジャンパは従来型の設計であり、前記リングの位置に関わらず、日付リングに対して一定した強度の保持力を及ぼす。
【発明を実施するための最良の形態】
【０００９】
本発明の他の特徴および利点が、添付図面と併せて、本発明による日付機構の実施形態についての以下の詳しい記述から、より明確になろうが、この例は、純粋に、例示的で限定をしない例として掲げるものである。
【００１０】
本発明は、時計用の日付機構であって、そのジャンパ効果停止デバイスが、製造が容易で、日付ディスクの適切な位置決めを保証する２つの小型ジャンパを含む機構を提供することからなる全般的な発明概念から展開する。この結果が達成される拠り所となる事実は、従来技術では、各日付リングそれぞれの内歯の１つの場所に歯が無いという事実から、ジャンパが、各リングそれぞれの内歯の連続した３つの歯と協働して、歯の無いところの通過中も前記リングの位置決めを保証しなければならなかったが、それとは異なり、本発明によると、歯の無いところが、薄くされた歯によって置き換えられているということである。この薄くされた歯は、歯の無いところと同じ役割、即ち、該当リングがその自由位置を時計の表示場所で有する時、そのリングの延長された休止位置を決める役割を果たすが、これは、ジャンパが、前記リングの内歯の連続した２つの歯の間に常に収容されることを保証する。このようにこれらのジャンパは従来のタイプであり、薄くされた歯の通過中でも、日付リングに一定の保持力を及ぼす。
【００１１】
図１は、本発明による日付機構を含む時計ムーブメントの上面図である。全体の参照番号１によってその全体をここに示す時計装置がケーシング・リング２に取り付けられる。本発明による日付機構は、下側日付リング６に重ね合わされた上側日付リング４を含む。上側リング４は１６個のセクターを含み、下側リング６は１７個のセクターを含む。図１を検討して分かる通り、また図２、３を検討するとさらに良く分かる通り、上側リング４は、その１５個のセクターで、「１７」から「３１」のマークを備え、最後のセクターには開いたまたは透明の開口部８が設けられている。下側リング６は、その１６個のセクターで、「１」から「１６」のマークを含み、最後のセクターにはマークは無い。
【００１２】
上側日付リング４の内側周囲は、規則的に離隔された歯の連続から形成される内歯を含み、それは、上側リング４では１０として示し、下側リング６では１２として示す。上側リング４と下側リング６の内歯の１つの場所には、１４、１６として示す薄くされた歯が設けられる。「薄くされた歯」とは、日付リング４と６が広がっている平面に対して直角な方向で考えて、その高さが、それの前後の歯よりも低い歯を意味する。
【００１３】
日付駆動ホィール１８は、従来通り２４時間毎に１回転して、従来のやり方で、歯１０または１２に作用することによって日付リング４、６を駆動する。上側リング４と下側リング６の内歯に対する駆動ホイール１８の位置は、これらのリングの一方が、その自由位置（上側リング４では開口部８、また下側リング６ではマークの無いセクター）を、時計ムーブメント１の表示場所２０で有する時（文字板の開口部は、数字「１６」の位置を占めることになるが、これは取り除かれるものとする）、駆動ホィール１８が、該当リングの薄くされた歯１４または１６に向き合うようになる。
【００１４】
ジャンパ効果停止デバイス２２は、２つのジャンパ２４、２６を含み、それらは上側リング４の歯１０と、下側リング６の歯１２とに作用する。従来技術では、各日付リングそれぞれの内歯の１つの場所に歯が無いという事実から、ジャンパが、各リングの内歯の連続した３つの歯と協働して、歯の無いところの通過中もリングの適切な位置決めを保証しなければならなかったが、それとは異なり、本発明が提案するのは、歯の無いところを、薄くされた歯、即ち上側日付リング４と下側日付リング６の内側周囲に沿って配置された他の歯ほどの高さが無い歯と、取り替えることである。以下で詳しく分かる通り、本発明による薄くされた歯は、従来技術による歯の無いところと同じ役割、即ち、該当リングがその自由位置を時計の表示場所で有する時、そのリングの休止位置となる役割を果たすが、その存在によって、ジャンパーがリングの内歯の直接に連続した２つの歯の間に常に収容されることを保証する。
【００１５】
日付リング４、６はそれぞれ、それらの外周で、限界停止部、それぞれ２８、３０を有する。図２、３が、この配置を詳しく示す。限界停止部２８は、上側日付リング４の平面に垂直に延び、限界停止部３０は、下側日付リング６の外周の外側径方向に延びる。
【００１６】
図４に示す状態で、上側日付リング４は、その開口部８が表示場所２０にあり、同時に、その薄くされた歯１４が駆動ホィール１８に向き合っている。明らかな通り、薄くされた歯１４の高さは、駆動ホィール１８が、前記歯と噛み合うことができず、下側日付リング６しか駆動しなくなるようなものであり、下側リング６は、駆動ホィール１８によって、連続的にマーク「１１」、「１２」、．．．「１５」、最後に「１６」を現す状態になり、ここに示す位置に到達する。マーク「１６」が現れた瞬間、限界停止部３０は、限界停止部２８と当接する。この瞬間、駆動ホィール１８によって下側リング６に伝えられる前進中に、上側リング４も駆動されるようになり、それによって開口部８が表示場所２０から消えて、上側リング４のマーク「１７」に道を譲る。この瞬間、駆動ホィール１８に向き合って薄くされた歯１６を有するのは下側リング６である。上側リング４でも同様に、薄くされた歯１６の高さは、駆動ホィール１８が前記歯と噛み合うことができず、下側日付リング４しか駆動しなくなるようなものである。駆動ホィール１８が１回転する毎に、上側リング４だけが１段前進し、連続的にマーク「１７」、「１８」、．．．「３０」「３１」が現れる。マーク「３１」が表示されると、２つの限界停止部２８と３０の間の状態は、以上に述べたことの逆となり、即ち、日付リング４の限界停止部２８は、下側日付リング６の限界停止部３０に当接し、同時に、日付リング４の前進中、日付リング６を前進するようにし、それによってマーク「１」が開口部８の下、表示場所２０に現れる。上側リング４が進まされ、下側リング６が休止する間中、表示場所２０に向き合っているのは、下側リング６のマークの無いセクターであるが、これは何の影響も及ぼさず、それは、この場合、開口部８が表示場所にまったく来ておらず、したがって下側リング６を見えるようにはしていないからである。次いで、下側リング６の１６個のマークが連続的に行進され、図４に示す状態に戻る。するとこのサイクルが再度開始する。
【００１７】
図５は、本発明による日付機構が備えられた時計ムーブメント１の分解図である。このムーブメント１が含むプレート２は、回転時に、２つの下側日付リング６と上側日付リング４を支持し、案内する。プレート２の中心に、従来の形で、時針車軸３４が立ち、その上に時針車３６が係合される。ブリッジ３８が有する停止デバイス２２には、その２つのジャンパ２４、２６が設けられ、それぞれが上側日付リング４と下側日付リング６に対して作用する。駆動ホィール１８は、時針車３４によって、図示しない減速ホィールセットを介して駆動され、２４時間毎に完全に１回転するホィール４０を含む。２つのフィンガ４２、４４は、例えば溶接によってホィール４０上に固定される。これらの２つのフィンガ４２、４４は、前記リングの歯１０または１２に作用することによって、それぞれ上側日付リング４と下側リング日付６を駆動させる。上側リング４の薄くされた歯１４が、駆動ホィール１８と向き合う位置の場合、駆動ホィール１８は、前記上側リング４に対して影響を与えず、そのフィンガ４４を介して、下側日付リング６だけを、１日に１段ずつ駆動する。逆に、下側日付リング６の薄くされた歯１６が、駆動ホィール１８の反対側に位置する場合、フィンガ４４は、前記下側リング６の歯１６と噛み合うことができず、上側リング４だけが１日に１段ずつ前進する。
【００１８】
駆動ホィール１８は、ブリッジ３８の軸４６に自由に取り付けられる。最後に、本発明による日付機構は、ネジ５０を使用して固定された保持プレート４８によってプレート３２に軸方向に保持される。
【００１９】
図６は、上側日付リング４と下側日付リング６の内歯の拡大概念図である。この図を検討して分かる通り、上側日付リング４は、数字１、２、．．．１５、１６によって識別される１６個の歯を含み、下側日付リング６は、数字１、２、．．．１６、１７によって識別される１７個の歯を含む。上側リング４は、このように１６の区画を含み、下側リングは１７の区画を含む。上側日付リング４と下側日付リング６それぞれの歯１０と１２は、このように互い違いにされている。上側リング４と下側リング６の薄くされた歯１４と１６の位置を実線の円で記す。上側リング４と下側リング６の内歯向き合っている駆動ホィール１８の位置を直線セグメントＡ−Ａによって記す。最後に、ジャンパ２４と２６を、それと同じ参照番号を備える２つの四角形によって表す。図面を検討すると分かる通り、２つのジャンパ２４と２６の高さは、歯１０と１２の厚さと等しい。
【００２０】
図６に示す状態で、上側日付リング４は、その薄くされた歯１４が駆動ホィール１８と向き合っている。この位置は、上側リング４はその開口部８がムーブメントの表示場所２０に有り、下側リング６によって支承される数字「１６」を現す状態に対応する（図４も参照）。マーク「１６」が現れた瞬間、下側リング６の限界停止部３０は、上側リング４の限界停止部２８に当接する。このように、駆動ホィール１８によって下側リング６に伝えられる前進中、上側リング４も駆動される。そうなると、薄くされた歯１６が、駆動ホィール１８と向き合うのは下側リング６であり、上側リング４の薄くされた歯１４は前進を一段完了する。
【００２１】
以上で既に述べた通り、２つのジャンパ２４、２６の高さは、歯１０、１２の厚みと実質的に等しく、それによって、薄くされた歯１４または１６の通過中、前記ジャンパは、上側円盤と下側円盤の内歯の直接連続した２つの歯の間に依然係合したままとなって、前記円盤の適切な位置決めを保証する。
【００２２】
言うまでもなく、本発明は、以上に述べた実施形態に限定されず、本発明の範囲から逸脱せずに、当業者は、様々な簡単な修正や変形形態を想定することができる。特に、上側日付リングが、１７個のセクターを含み、下側日付リングが、１６個しか有さないことも可能である。
【図面の簡単な説明】
【００２３】
【図１】本発明による日付機構を含む時計のケースの上面図である。
【図２】上側日付リングの斜視図である。
【図３】下側日付リングの斜視図である。
【図４】図２、３と類似の図であり、下側日付リングと上側日付リングが重ね合わされている。
【図５】日付機構の分解図である。
【図６】下側日付リングと上側日付リングの周囲内歯の概念図である。
【符号の説明】
【００２４】
１  時計ムーブメント、２  ケーシング・リング、４、６  上下側日付リング、８  開口部、１０、１２  上下側日付リングの歯、１４、１６  上下側日付リングの薄くされた歯、１８  駆動ホィール、２０  表示場所、２２  ジャンパ効果停止デバイス、２４、２６  ジャンパ、２８、３０  限界停止部、３２  プレート、３４  時針車軸、３６  時針車、３８  ブリッジ、４０  駆動ホィールのホィール、４２、４４  フィンガ、４６  ブリッジの軸、４８  保持プレート、５０  ネジ
【図１】
2005156563.tif 000003
【図２】
2005156563.tif 000004
【図３】
2005156563.tif 000005
【図４】
2005156563.tif 000006
【図５】
2005156563.tif 000007
【図６】
2005156563.tif 000008